(57)【要約】【課題】  従来公知のブラインドは、スラットとスラットの間から屋外を透視するものであるから、屋外を透視したり自然光をより多く採り入れるためには、スラットの傾きを少なくする必要があり、反面、直射光を遮断したり、その反射光が室内に入らないようにするためには、スラットの傾きをより大きくする必要があり、そのために直射光の高度に合わせてスラットの傾きを調節する必要があった。また、直射光を遮断してもスラットに吸収された直射光が熱線となって室内側に入るため、冷房負荷を軽減させる効果はあまり期待できなかった。さらに、多数のスラットで構成されているため、埃が付きやすく、清掃が困難な欠点があった。【解決手段】微小な四辺形のプリズム複数個を上下方向に連結して形成したシート状のブラインドで、全反射と表面反射を使って直射光を屋外側に反転放出するもので、日除けや目隠しの機能を果たすとともに冷房負荷を軽減させるものである。【選択図】図１
2005240469.tif 000002
【特許請求の範囲】
【請求項１】
屋内外方向に面する光線の入射面と、入射面に並行する光線の透過面と、上下方向に面する上反射面および下反射面とで囲まれた透明材料からなる四辺形のプリズム複数個を、上下方向に連結して形成したシート状のブラインドで、上反射面および下反射面に、光線を表面反射させるための表面反射膜を有し、所定の角度を超えて入射する光線が、上反射面と下反射面での表面反射と透過面での全反射によって入射面から反転放出されるように構成したことを特徴とするブラインド。
【請求項２】
請求項１記載のブラインドにおいて、プリズムの上反射面と下反射面の間の溝に、溝を埋めるための物質を充填したことを特徴とする請求項１記載のブラインド。
【発明の詳細な説明】
【技術分野】
【０００１】
本発明は、直射光の日除けや、屋外からの覗き見を防止するために、窓ガラスの内側に貼り付けたり、吊下げて用いるブラインドに関するものである。
【背景技術】
【０００２】
従来公知のブラインドは、スラットと称される細長い板状の遮光板を、細紐で等間隔に上下に並べて吊下げたもので、スラットの傾斜角度を調整することで直射光を遮るように構成されている。スラットは一般に金属やプラスチック製の細長い板で、その表面で光線を反射や吸収させて遮断するものである。
【特許文献１】特許公開平１０−３３９０８３
【特許文献２】特許公開平０７−３０１０４６
【発明の開示】
【発明が解決しようとする課題】
【０００３】
従来公知のブラインドは、スラットとスラットの間から屋外を透視するものであるから、屋外を透視したり自然光をより多く採り入れるためには、スラットの傾きを少なくする必要があり、反面、直射光を遮断したり、その反射光が室内に入らないようにするためには、スラットの傾きをより大きくする必要があり、そのために直射光の高度に合わせてスラットの傾きを調節する必要があった。また、直射光を遮断してもスラットに吸収された直射光が熱線となって室内側に入るため、冷房負荷を軽減させる効果はあまり期待できなかった。さらに、多数のスラットで構成されているため、埃が付きやすく、清掃が困難な欠点があった。
【課題を解決するための手段】
【０００４】
本発明のブラインドは、微小な四辺形のプリズム複数個を上下方向に連結して形成したシート状のブラインドで、全反射と表面反射を使って直射光を屋外側に反転放出するもので、日除けや目隠しの機能を果たすとともに冷房負荷を軽減させるものである。
【発明の効果】
【０００５】
本発明のブラインドは、従来公知のブラインドに比べて冷房負荷を大幅に軽減できる。また、直射光の高度に合わせて調節する必要がない。さらに、ブラインドの表面を平らにできるため、汚れにくく清掃しやすい利点がある。
【発明を実施するための最良の形態】
【０００６】
本発明ブラインドは、物質表面での表面反射のほか、透過する媒質の屈折率の違いから起こる光の全反射を利用して光線の進行方向を反転させる方法であるため、ブラインドの形成には、空気に対する屈折率が大きく、透過率の高い透明な材料が望ましく、一般的にはアクリル樹脂などが適している。
【実施例】
【０００７】
図１は本発明によるブラインド１の断面図である。２は透明材料からなる四辺形のプリズムで、上下方向に複数個が連結されてシート状のブラインド１を形成している。３は屋内外方向に面する光線の入射面、４は入射面３に並行する光線の透過面、５と６は上下方向に面する上反射面と下反射面で、入射面３と透過面４、上反射面５および下反射面６でプリズム２を構成している。また、上反射面５と下反射面６には、光線を鏡のように表面反射させるための表面反射膜（図示せず）が、金属の蒸着や顔料の塗布などによって貼り付けられた構成にある。
【０００８】
表面反射膜は反射率の高い材料で鏡面反射に近いことが望ましい。７は上反射面５と下反射面６の間の溝に充填される充填材で、表面反射膜の保護とブラインドの室内側を平坦にする目的で充填される。充填材７には、透明な材料を用いて透過面４側の全面を被覆させる方法でも、反射率の高い不透明な材料で表面反射膜を兼ねて溝だけに充填する方法でもよい。８は隣接するプリズムを連結する連結代である。連結代８は光線の屈折や反射には関係しないので、材料節減のためにはなるべく薄いほうが望ましい。
【０００９】
矢印ａからｈは光線の経路を示すもので、ａは高度の高い正午に近い直射光を示し、上反射面５と下反射面６で表面反射を繰り返しながら方向を変えて、入射面３から矢印ｂのごとく反転して放出される。同じ経路を逆方向に矢印ｂから入射する光線は、矢印ａの方向に跳ね返されることになる。より高度の低い矢印ｃの光線や矢印ｅの光線の場合は、上反射面５と下反射面６で表面反射を繰り返した後、透過面４で全反射によって方向が反転し、矢印ｄやｆの経路で放出される。さらに高度の低い光線ｇやｈの場合は、上反射面５や下反射面６に当たることもなく透過面４から透過する。つまりこの範囲では屋内外が相互に透視できることになる。遮断したり透過させたりする境目の角度は、上反射面５と下反射面６の傾斜度や構成材の反射率から設定でき、下反射面６の傾斜角度は、入射面３からの光線が透過面４で全反射する角度に設定すればよい。なお、上反射面５は成型を容易にするため若干傾斜させてもよいが、その分だけ透視可能な透過面４の面積が縮小する。
【００１０】
なお、本発明における表面反射とは、光線が物質の表面で反射する現象を指し、汎用のガラス鏡のごとく、透明なガラス内を進行した光線が、ガラス裏面に蒸着された金属膜の表面で反射する状態を含んでいる。また、全反射とは、異なる透明物質（例えば空気と水）との境界面に臨界角を越えて入射しようとする光線が、進行方向を反転する現象を指している。
【００１１】
以上のごとく、本発明のブラインド１は、透過面４での全反射と、上反射面５と下反射面６での表面反射で直射光を屋外に反転放出させるので、直射光による冷房負荷を大幅に軽減することができる。また、従来ブラインドのように太陽の高度に合わせて調節する必要がない上、ブラインドが平坦であるため埃が付きにくく、付いても清掃しやすい、簡単な形状のため製造が容易であるなどの利点を有するものである。
【産業上の利用可能性】
【００１２】
ビルや住宅などの窓に併設することで、直射光による冷房負荷を大幅に軽減することができる上、室内の覗き見を防止できる。また、平坦なシート状であるため、目立ちにくく快適な住環境を提供するのに役立つものである。
【図面の簡単な説明】
【００１３】
【図１】本発明によるブラインドの断面図である。
【符号の説明】
【００１４】
１    ブラインド
２    プリズム
３    入射面
４    透過面
５    上反射面
６    下反射面
７    充填材
８    連結代
ａ〜ｈ  光線の経路
【図１】
2005240469.tif 000003